(57)【要約】【課題】垂木や母屋を要することなく、且つ簡単な作業で屋根部分の小屋組に屋根パネルを設置してゆくことができると共に、安定した屋根構造を屋根パネルを用いて効率良く形成することのできる住宅の屋根構造を提供する。【解決手段】間隔をおいて配置される一対の縦桟１３と、梯子状に配置される複数の横桟１４とからなるパネル枠１５に屋根下地用面材１６を取り付けてなる屋根パネル１７を、屋根下地面に沿って複数連接設置して形成される住宅の屋根構造１０であって、屋根部分１２の小屋組２０を構成する上弦材２１，２２に支持させて屋根パネル１７が各々設置されるものであり、これらの複数の屋根パネル１７は、隣接して配置された一対の上弦材２１，２２の間に、当該上弦材２１，２２の各内側面に一対の縦桟１３を各々沿わせるようにしつつ一対の上弦材２１，２２の間に落とし込まれるようにして各々取り付けられる。【選択図】　　　　図１
2004124397.tif 000002
【特許請求の範囲】
【請求項１】
間隔をおいて配置される一対の縦桟と、該一対の縦桟の間に介在して梯子状に平行に配置される複数の横桟とからなるパネル枠に屋根下地用面材を取り付けてなる屋根パネルを、屋根下地面に沿って複数連接して設置することにより形成される住宅の屋根構造であって、
居室部分の構造体に支持させて設けられる屋根部分の小屋組を構成すると共に前記屋根下地面に沿って配置される複数の上弦材に支持させて、前記複数の屋根パネルが各々設置されるものであり、
且つこれらの複数の屋根パネルは、隣接して配置された一対の前記上弦材に対して、当該上弦材の各内側面に前記一対の縦桟を各々沿わせることによってこれらの間に前記横桟を前記屋根下地面の傾斜方向と垂直な方向に介在させると共に、前記上弦材の上面に前記屋根下地用面材の側縁部を係止した状態となるように、一対の前記上弦材の間に落とし込まれるようにして各々取り付けられることを特徴とする屋根パネルによる住宅の屋根構造。
【請求項２】
前記屋根部分の小屋組を構成する前記複数の上弦材は、その少なくとも一部がトラス梁の上弦材である請求項１に記載の屋根パネルによる住宅の屋根構造。
【請求項３】
前記屋根部分の小屋組を構成する前記複数の上弦材は、その少なくとも一部が等間隔で平行に配置されており、当該等間隔部分に設置される屋根パネルは、同一幅の屋根下地用面材が取り付けられている請求項１又は２に記載の屋根パネルによる住宅の屋根構造。
【請求項４】
前記屋根下地用面材は、その側縁部を張出し係止部として前記縦桟から両側に張出した状態で前記パネル枠に取付けられており、該張出し係止部を前記上弦材に載置することにより係止して、前記複数の上弦材の間に前記複数の屋根パネルが各々取り付けられている請求項１〜３のいずれかに記載の屋根パネルによる住宅の屋根構造。
【発明の詳細な説明】
【０００１】
【発明の属する技術分野】
本発明は、屋根パネルによる住宅の屋根構造に関し、特に居室部分の構造体に支持させて設けられる屋根部分の小屋組に屋根パネルを設置して形成される住宅の屋根構造に関する。
【０００２】
【従来の技術】
住宅の屋根構造は、屋根部分の骨組み構造である小屋組に、屋根下地用面材を取り付け、さらに屋根仕上げ材を敷設して形成されるものである。また、小屋組に屋根下地用面材を取り付けた屋根構造としては、小屋梁に小屋束を立設配置すると共に、小屋梁に支持させて母屋を棟と平行に延設させて取り付け、さらに棟木と母屋とに支持させて棟と垂直な屋根の傾斜方向に沿って垂木を取り付けた後、この垂木の上面に屋根下地用面材を取り付けてゆく束立て方式や、下方の居室部分の外壁構造体に支持させて垂木を兼ねる屋根トラスを多数配置すると共に、この屋根トラスに屋根下地用面材を取り付けてゆくトラス方式等が一般的に採用されている。
【０００３】
これらの従来の屋根下地用面材を取り付けるための屋根構造によれば、その施工時に、垂木や受け材等の多数の部材を施工現場で組み付けてゆく必要があるため作業が煩雑となり、また屋根用面材を一枚一枚位置決めしながら垂木や受け材等に接合してゆく作業に多くの手間を要するため、効率良く屋根構造を設けてゆくことが困難である。これに対して、工場等で予め作成した屋根パネルを用いることにより、施行現場での作業性を改善した屋根構造が開発されている（例えば、特許文献１参照）。特許文献１に記載の屋根構造によれば、屋根下地面の傾斜方向に配置される垂木を縦材として用いて形成した木枠組の上面に、屋根下地用面材を釘打ちにより取り付けてなる屋根パネルを予め形成し、この屋根パネルを、屋根トラスや母屋等の梁材による小屋組に、当該屋根パネルの上面側からのスクリューネイルの釘打ちによって取り付けることにより構成されるものである。
【０００４】
【特許文献１】
特開平０５−２８７８３３号公報
【０００５】
【発明が解決しようとする課題】
特許文献１に記載の屋根構造によれば、屋根パネルは、屋根下地面の傾斜方向に配置される垂木を木枠組の縦材として用いて形成されており、木枠組を屋根トラスや母屋等による小屋組に載置し、屋根下地用面材によるパネル面に対して直角にスクリューネイルを釘打ちして固定することにより、結果として、従来と同様の、母屋に支持させた垂木に沿って屋根下地用面材が取り付けられた屋根構造を備えることになる。
【０００６】
しかしながら、垂木を木枠組の縦材として用いて形成した屋根パネルを小屋組に取り付ける場合、安定した構造とするためには、垂木を一本一本母屋に固定してゆく必要が生じてその作業に手間がかかると共に、垂木を上下に貫通させて母屋等の梁材に向けて相当の長さのスクリューネイルを直角に精度良く釘打ちしてゆく作業が困難である。また、屋根勾配に沿った形状に上端面を切取り加工した母屋を、当該上端面を垂木の受け面として、屋根下地面の勾配に合わせて精度良く取り付けてゆく作業に手間がかかり、母屋の取り付け位置が正確でないと、安定した屋根構造を形成することができなくなる。
【０００７】
本発明は、垂木や母屋を要することなく、且つ簡単な作業で屋根部分の小屋組に屋根パネルを設置してゆくことができると共に、横方向に負荷される荷重を一体として効果的に支持できる安定した屋根構造を、屋根パネルを用いて効率良く形成することのできる屋根パネルによる住宅の屋根構造を提供することを目的とする。
【０００８】
【課題を解決するための手段】
本発明は、間隔をおいて配置される一対の縦桟と、該一対の縦桟の間に介在して梯子状に平行に配置される複数の横桟とからなるパネル枠に屋根下地用面材を取り付けてなる屋根パネルを、屋根下地面に沿って複数連接して設置することにより形成される住宅の屋根構造であって、居室部分の構造体に支持させて設けられる屋根部分の小屋組を構成すると共に前記屋根下地面に沿って配置される複数の上弦材に支持させて、前記複数の屋根パネルが各々設置されるものであり、且つこれらの複数の屋根パネルは、隣接して配置された一対の前記上弦材に対して、当該上弦材の各内側面に前記一対の縦桟を各々沿わせることによってこれらの間に前記横桟を前記屋根下地面の傾斜方向と垂直な方向に介在させると共に、前記上弦材の上面に前記屋根下地用面材の側縁部を係止した状態となるように、一対の前記上弦材の間に落とし込まれるようにして各々取り付けられることを特徴とする屋根パネルによる住宅の屋根構造を提供することにより、上記目的を達成したものである（請求項１記載の発明）。
【０００９】
ここで、上記記載において、間隔をおいて配置されてパネル枠を構成する一対の縦桟は、必ずしも平行に並べて配置されるものである必要はなく、例えば台形形状のパネル枠の平行でない２辺に配置された縦桟の如く平行に配置されていなくても良い。また三角形状のパネル枠の２辺に一対の縦桟が配置さており、三角形状の角から離れた部分に横桟を配置するための間隔が当該一対の縦桟の間に保持されているような形態も含まれる。
【００１０】
また、上記記載において、屋根部分の小屋組を構成する上弦材は、いわゆる屋根用のトラス梁である屋根トラスの上弦材のみを意味するものではなく、小屋組の外郭部分に配置されると共に屋根下地面の傾斜部分に沿って配置される骨組み部材である、隅木や、或いは当該隅木や屋根トラスに上端が支持されて屋根の傾斜方向に延設配置される登り梁材等の、一対の部材間に屋根パネルを落とし込んだ状態で支持することのできる、屋根トラスの上弦材と同等の機能を有する骨組み部材をも含む趣旨である。
【００１１】
そして、本発明の屋根パネルによる住宅の屋根構造によれば、前記屋根部分の小屋組を構成する前記複数の上弦材は、その少なくとも一部がトラス梁の上弦材であることが好ましい（請求項２記載の発明）。
【００１２】
また、本発明の屋根パネルによる住宅の屋根構造によれば、前記屋根部分の小屋組を構成する前記複数の上弦材は、その少なくとも一部が等間隔で平行に配置されており、当該等間隔部分に設置される屋根パネルには、同一幅の屋根下地用面材が取り付けられていることが好ましい（請求項３記載の発明）。
【００１３】
さらに、本発明の屋根パネルによる住宅の屋根構造によれば、前記屋根下地用面材は、その側縁部を張出し係止部として前記縦桟から両側に張出した状態で前記パネル枠に取付けられており、該張出し係止部を前記上弦材に載置することにより係止して、前記複数の上弦材の間に前記複数の屋根パネルが各々取り付けられていることが好ましい（請求項４記載の発明）。
【００１４】
【発明の実施の形態】
本発明の好ましい実施形態を添付図面を参照しつつ詳細に説明する。図１に示す本発明の第１実施形態に係る屋根パネルによる住宅の屋根構造１０は、例えば屋根部分１２が２段構造の切妻屋根となった枠組壁構法（ツーバイフォー構法）による木造２階建てのユニット住宅１１において、当該切妻屋根による屋根部分１２を効率良く組立ててゆくための構造として採用されたものである。
【００１５】
そして、本第１実施形態の屋根構造１０によれば、図２（ａ），（ｂ）に示すような、間隔をおいて配置される一対の縦桟１３と、これらの一対の縦桟１３の間に介在して梯子状に平行に配置される複数の横桟１４とからなるパネル枠１５に屋根下地用面材１６を取り付けてなる屋根パネル１７を、屋根下地面に沿って複数連接して設置することにより形成されるものである。
【００１６】
すなわち、本第１実施形態によれば、複数の屋根パネル１７は、図１及び図３に示すように、居室部分１８の外壁構造体１９に支持させて設けられる屋根部分１２の小屋組２０を構成すると共に屋根下地面に沿って配置される複数の上弦材２１，２２に支持させて、各々設置されるものであり、且つこれらの複数の屋根パネル１７は、隣接して配置された一対の上弦材２１，２２に対して、当該上弦材２１，２２の各内側面に一対の縦桟１３を各々沿わせることによって（図４参照）これらの間に横桟１４を屋根下地面の傾斜方向Ｘと垂直な方向に介在させると共に、上弦材２１，２２の上面に屋根下地用面材１６の側縁部２３を係止した状態となるように、一対の上弦材２１，２２の間に落とし込まれるようにして各々取り付けられることになる。
【００１７】
本第１実施形態によれば、屋根構造１０が設けられるユニット住宅１１は、予め工場等で形成された複数の住宅ユニットを建築施工現場で接合一体化して構築されるものであって、屋根部分１２の下方の居室部分１８は、複数の居室ユニットを組立てて形成されており、この居室部分１８の外壁構造体１９に支持させて、屋根部分１２の小屋組２０が設けられることになる。
【００１８】
小屋組２０は、２段構造の切妻屋根による屋根部分１２の骨組み構造を構成するものであり、図３に示すように、主として、切妻屋根の両端面の妻部に設置される端部妻パネル２４ａ，２４ｂと、２段構造の段差部分に設置される段差部妻パネル２４ｃと、これらの妻パネル２４ａ，２４ｂ，２４ｃの間に平行に並べて配置される複数の屋根トラス２６ａ，２６ｂとからなる。またこれらの妻パネル枠２４ａ，２４ｂ，２４ｃ及び屋根トラス２６ａ，２６ｂを連結すると共に補強する、振れ止め、方杖、座屈止め等が適宜設けられている。
【００１９】
妻パネル２４ａ，２４ｂ，２４ｃは、各々、下枠２７から縦枠２８を複数立設配置すると共に、縦枠２８に上枠・頭つなぎ材２９を取り付けることによって、三角枠形状に形成されるものであり、この三角枠形状に各々妻パネルが取り付けられて、端部妻パネル２４ａ，２４ｂ及び段差部妻パネル２４ｃが形成されることになる。
【００２０】
屋根トラス２６ａ，２６ｂは、下弦材及び上弦材と、これらの間に介在する束材、斜束材等からなる扁平な２等辺三角形状の屋根用のトラス梁であって、これの上弦材が、屋根パネル１７を設置するための上弦材２１，２２を構成することになる。なお、本第１実施形態によれば、上弦材２１は、２段構造の切妻屋根の幅の狭い部分に設けられる３箇所の上弦材であり、上弦材２２は、２段構造の切妻屋根の幅の広い部分に設けられる３箇所の上弦材である。
【００２１】
また、本第１実施形態によれば、幅の狭い部分に取り付けられる３箇所の上弦材２１は、一方の端部妻パネル２４ａの上枠・頭つなぎ材２９から平行に例えば９００〜１８００ｍｍのピッチの等間隔で２箇所に設けられると共に、屋根トラス２６ａによる残りの上弦材２１は、段差部妻パネル２４ｃに接して設けられている。また幅の広い部分に取り付けられる３箇所の上弦材２２は、段差部妻パネル２４ｃの上枠・頭つなぎ材２９から平行に例えば９００〜１８００ｍｍのピッチの等間隔で２箇所に設けられると共に、他方の端部妻パネル２４ｂの上枠・頭つなぎ材２９から平行に例えば９００〜１８００ｍｍのピッチで、屋根トラス２６ａによる残りの上弦材２２が１箇所に設けられ、これによって他方の端部妻パネル２４ｂから一番目の上弦材２２と２番目の上弦材２２との間の間隔が例えば９００〜１８００ｍｍのピッチとなっている。従って本第１実施形態によれば、各隣接する一対の上弦材２１，２２によって挟まれる間隔部分の少なくとも一部が、ピッチの等しい等間隔部分となっている。
【００２２】
本第１実施形態によれば、上弦材２１，２２に支持させて屋根下地面に沿って配置される屋根パネル１７は、図２（ａ），（ｂ）に示すように、矩形形状に接合した一対の縦桟１３と複数の横桟１４とからなるパネル枠１５と、このパネル枠１５の上面側に取付けられる例えばパーティクルボード、ＯＢＳ、合板等による屋根下地用面材１６とからなり、２段構造の切妻屋根の各大棟稜線３０ａ，３０ｂと、各隣接する上弦材２１，２２とによって画定される各矩形形状の領域に納まる形状に各々形成されることになる。
【００２３】
パネル枠１５は、一対の縦桟１３を、隣接する一対の上弦材２１，２２の内側面に沿って各々配置できるような間隔をおいて配設すると共に、これらの一対の縦桟１３の内側面間に複数の横桟１４を梯子状に垂直に介在配置させて、縦桟１３の両側から負荷される荷重を強固に支持できる構成を備えている。
【００２４】
屋根下地用面材１６は、これの上面側からパネル枠１５の縦桟１３及び横桟１４に向けて例えば固定釘等を打ち込むことにより、パネル枠１５に強固に固定されると共に、その両側縁部２３が縦桟１３よりも外側に張り出すように取付けられて、当該張出し部分が、上弦材２１，２２の上面に係止される張出し係止部を形成することになる。なお、屋根下地用面材１６は、一枚の面材としてパネル枠１５に取り付けることもできるが、複数に分割したものを連接配置してパネル枠１５に取り付けることもできる。
【００２５】
また、本第１実施形態によれば、屋根パネル１７が取り付けられる各隣接する一対の上弦材２１，２２によって挟まれる４箇所の間隔部分のうち少なくとも一部がピッチの等しい等間隔部分となっているので、これらの等間隔部分に取り付けられる屋根パネル１７の屋根下地用面材１６として、同一幅のものを使用できることから、規格化された屋根下地用面材を用いて効率良く屋根パネル１７を形成することが可能になると共に、同一形状の屋根パネル１７を複数用いることができ、これらによって経済的に屋根構造を形成することが可能になる。
【００２６】
これらの屋根パネル１７は、工場等において予め効率良く且つ精度良く形成されると共に、建築施工現場に搬入され、屋根部分１２に配置した上弦材２１，２２に支持させて、隣接する一対の上弦材２１，２２の間の間隔部分に落とし込まれるようにして各々取り付けられる。すなわち、図４及び図５に示すように、各屋根パネル１７は、隣接する一対の上弦材２１，２２の各内側面に一対の縦桟１３を各々沿わせつつ、当該一対の上弦材２１，２２の間にパネル枠１５を落とし込むと共に、屋根下地用面材１６の側縁部２３の張出し係止部を上弦材２１，２２の上面に係止することにより、各々容易に取り付けられる。また屋根下地用面材１６の側縁部２３を上弦材２１，２２の上面に係止して屋根パネル１７を取り付けた後、屋根パネル１７の上面側から縦桟１３を斜めに貫通させつつ上弦材２１，２２に向けて固定ビス３１を打込むことにより、屋根部分１２の上方からの作業によって屋根パネル１７を上弦材２１，２２に容易且つ強固に固定することができ、これによって、屋根パネル１７が屋根下地面に沿って複数連接して設置された本第１実施形態の屋根構造１０が形成されることになる。
【００２７】
なお、屋根パネル１７や上弦材２１，２２の所定の位置にビス孔を予め形成しておくことにより、固定ビス３１の打込みによる屋根パネル１７の固定作業をさらに容易に行うことが可能になる。また、屋根トラス２６ａ，２６ｂによる上弦材２１，２２の上面においては、図５に示すように、当該上弦材２１，２２の両側に屋根パネル１７が設置されることになるが、当該上弦材２１，２２の上面の左右各半分の領域に載置されるように各屋根下地用面材１６の側縁部２３を張出しておくことにより、一対の屋根パネル１７の双方を上弦材２１，２２の上面に容易に係止することができると共に、当該上面を介して両側の屋根下地用面材１６を接合することにより、屋根下地用面材１６を横方向に容易に連続一体化させることが可能になる。
【００２８】
さらに、本第１実施形態によれば、図６に示すように、設置された屋根パネル１７の傾斜方向Ｘの下端部分には、軒先横桟３２に支持させて、鼻隠下地３３が取り付けられると共に、外壁構造体１９の上端部分に取り付けられて屋根トラス２６ａ，２６ｂの転倒を防止する転止め３４と縦桟１３とを連結する、屋根パネル１７が上方にあおられるのを防止するためのあおり止め金物３５が取り付けられる。また、上面が傾斜方向Ｘに沿った傾斜面として切り欠かれた転止め３４に載置される位置に、横桟１４を予め配設しておくことにより、屋根パネル１７が取り付けられた際に、当該横桟１４を介して、屋根パネル１７が大きな接地面積で転止め３４及びこれの下方の外壁構造体１９から支持されることになり、これによってさらに安定した屋根構造が形成されることになる。
【００２９】
そして、本第１実施形態の屋根パネル１７による住宅の屋根構造１０によれば、垂木や母屋を配置することなく、且つ簡単な作業で屋根部分１２の小屋組２０に屋根パネル１７を設置してゆくことができると共に、横方向に負荷される荷重を一体として効果的に支持できる安定した屋根構造を、屋根パネル１７を用いて効率良く形成することができる。すなわち、本第１実施形態によれば、小屋組２０を構成する各隣接する一対の上弦材２１，２２の間隔部分に屋根パネル１７のパネル枠１５を落とし込むようにしつつ、屋根下地用面材１６の側縁部２３の張り出し係止部を上弦材２１，２２の上面に係止固定して屋根パネル１７が取り付けられるので、垂木や母屋を配置することなく簡易に屋根パネル１７を設置することが可能になる。
【００３０】
また、屋根パネル１７の固定は、屋根下地用面材１６の上面側から縦桟１３を斜めに貫通させつつ上弦材２１，２２に向けて固定ビス３１を打込むことによって行うことができるので、垂木を上下に貫通させてスクリューネイルを直角に精度良く打ち込みつつ垂木を一本一本母屋に固定してゆく従来の固定作業と比較して、容易かつ迅速に作業を行うことができると共に、スクリューネイルと比較して短い固定ビス３１を用いて、打ち込み作業を確実且つ精度良く行うことが可能になる。
【００３１】
さらに、本第１実施形態によれば、各隣接する一対の上弦材２１，２２の各内側面に一対の縦桟１３を各々沿わせることによって、これらの間に横桟１４を屋根下地面の傾斜方向Ｘと垂直な方向に介在させるようにして屋根パネル１７のパネル枠１５が取り付けられるので、パネル枠１５は、その強固な構成によって一対の上弦材２１，２２間の間隔を保持するようにしつつ水平方向の圧縮荷重を強固に支持することができるようになっている。したがって、パネル枠１５は、上弦材２１，２２の間に落とし込まれるように配置されて、小屋組１９を構成する上弦材２１，２２と同じ高さに位置することにより、これらの上弦材２１，２２と共に水平方向に連続する枠組を構成することになり、強固な水平構面を形成して、屋根部分に負荷される水平方向（横方向）の荷重を一体となって安定して支持することが可能になる。
【００３２】
なお、本実施形態によれば、２段構造の切妻屋根の妻部分に位置して、片側が端部妻パネル２４ａ，２４ｂ又は段差部妻パネル２４ｃの上枠・頭つなぎ材２９によって支持される屋根パネル１７ａは、当該上枠・頭つなぎ材２９の内側に落とし込まれることなく、横枠１４を上枠・頭つなぎ材２９の上面に載置するようにして、その側部を上枠・頭つなぎ材２９から外側に張り出した状態で設置されることになる（図１参照）。
【００３３】
図７（ａ），（ｂ）は、本発明の第２実施形態に係る屋根パネルによる住宅の屋根構造４０を説明するものであり、本第２実施形態によれば、寄せ棟屋根の寄せ棟部分４１に本発明の屋根構造４０を採用したものである。すなわち、本第２実施形態によれば、屋根パネル４２，４３が支持される上弦材は、扁平な２等辺三角形状の屋根トラス４４による上弦材４５ａと、扁平な等脚台形状の屋根トラス４６による上弦材４５ｂと、隅棟稜線に沿って配置される隅木４７による上弦材４５ｃと、当該隅木４７や屋根トラス４４，４６に上端が支持されて屋根の傾斜方向に延設配置される第１登り梁材４８及び第２登り梁材４９による上弦材４５ｄ，４５ｅとからなる。そして、各上弦材４５ａ，４５ｂ，４５ｃ，４５ｄ，４５ｅにより画定される台形形状の屋根下地面領域には台形屋根パネル４２が、三角形状の屋根下地面領域には三角形屋根パネル４３が各々設置されることになる。
【００３４】
台形屋根パネル４２は、平行に配置される一対の縦桟５０と、斜辺部分に配置される斜め縦桟５１と、これらの間に梯子状に配置される複数の横桟５２とからなるパネル枠５３と、パネル枠５３の上面側に取付けられる台形形状の屋根下地用面材５４とからなり、各台形形状の屋根下地面領域におさまる形状に各々形成されることになる。三角形屋根パネル４３は、１本の縦桟５５と、縦桟５５に対して斜めに接合される１本の斜め縦桟５６と、これらの間に梯子状に配置される複数の横桟５７とからなるパネル枠５８と、パネル枠５８の上面側に取付けられる三角形状の屋根下地用面材５９とからなり、各三角形状の屋根下地面領域におさまる形状に各々形成されることになる。
【００３５】
そして、本第２実施形態の屋根構造４０によっても、屋根パネル４２，４３は、隣接して配置された一対の上弦材４５ａ，４５ｂ，４５ｃ，４５ｄ，４５ｅの内側面に縦桟５０，５１，５５，５６を各々沿わせつつ、一対の上弦材４５ａ，４５ｂ，４５ｃ，４５ｄ，４５ｅの間に落とし込まれるようにして設置されて、上記第１実施形態の屋根構造１０と同様の作用効果を奏することになる。
【００３６】
なお、本発明は上記実施形態に限定されることなく種々の変更が可能である。例えば、本発明の住宅の屋根構造は、枠組壁構法によるユニット住宅に限定されることなく、在来軸壁構法によるユニット住宅にも採用できる他、ユニット住宅以外の一般の住宅の屋根構造として採用することもできる。また、切妻屋根や寄せ棟屋根に限定されることなく、種々の形状の屋根構造に適用して用いることができる。
【００３７】
【発明の効果】
本発明の屋根パネルによる住宅の屋根構造によれば、垂木や母屋を要することなく、且つ簡単な作業で屋根部分の小屋組に屋根パネルを設置してゆくことができると共に、横方向に負荷される荷重を一体として効果的に支持できる安定した屋根構造を、屋根パネルを用いて効率良く形成することができる。
【図面の簡単な説明】
【図１】本発明の第１実施形態に係る住宅の屋根構造の構成を説明する部分破断斜視図である。
【図２】屋根パネルの構成を説明する、（ａ）は分解斜視図、（ｂ）は斜視図である。
【図３】屋根パネルを支持する上弦材を備える小屋組の構成を説明する斜視図である。
【図４】上弦材への屋根パネルの取付け状況を説明する部分斜視図である。
【図５】上弦材への屋根パネルの取付け状況を説明する部分拡大断面図である。
【図６】軒部分における屋根パネルの取付け状況を説明する部分断面図である。
【図７】本発明の第２実施形態に係る住宅の屋根構造の構成を説明する、（ａ）は屋根パネルの取付け前の小屋組の斜視図、（ｂ）は屋根パネルの取付け時の部分破断斜視図である。
【符号の説明】
１０　屋根パネルによる住宅の屋根構造
１１　ユニット住宅
１２　屋根部分
１３　縦桟
１４　横桟
１５　パネル枠
１６　屋根下地用面材
１７　屋根パネル
１８　居室部分
１９　外壁構造体
２０　小屋組
２１，２２，４５ａ，４５ｂ，４５ｃ，４５ｄ，４５ｅ　上弦材
２２　　横枠材
２３　側縁部（張出し係止部）
２４ａ，２４ｂ　端部妻パネル
２４ｃ　段差部妻パネル
２６ａ，２６ｂ，４４，４６　屋根トラス
２９　上枠・頭つなぎ材
３０ａ，３０ｂ　大棟
３１　固定ビス
４２　台形屋根パネル
４３　三角形屋根パネル
Ｘ　　傾斜方向
【図１】
2004124397.tif 000003
【図２】
2004124397.tif 000004
【図３】
2004124397.tif 000005
【図４】
2004124397.tif 000006
【図５】
2004124397.tif 000007
【図６】
2004124397.tif 000008
【図７】
2004124397.tif 000009